(57)【特許請求の範囲】
【請求項１】
被貼着体に貼着可能な下層ラベルと、前記下層ラベルに剥離可能に貼着され且つ、キャンペーンラベルであることを示す表示がおもて面から目視可能に設けられた上層ラベルと、前記下層ラベル又は上層ラベルに該上層ラベルのおもて面からは目視不能であって且つキャンペーンに応募又は参加する際に上層ラベルを下層ラベルから剥離することによりその内容が確認できる内面表示と、前記下層ラベル及び上層ラベルの全面を被覆すべく、下層ラベル及び上層ラベルよりも大きな形状を有し且つ被貼着体に貼着可能な透明の保護用シートとを備え、保護用シートと上層ラベルの剥離強度は、上層ラベルと下層ラベルの剥離強度及び下層ラベルと被貼着体の剥離強度よりも弱くなるように設定されていることを特徴とするキャンペーンラベル。
【発明の詳細な説明】
【０００１】
【発明の属する技術分野】
本発明は、ポリエチレンテレフタレート製のボトル、ガラス瓶や金属缶などの容器等の表面に貼着され、且つ、応募シートに貼着して応募するキャンペーンラベルに関する。
【０００２】
【従来の技術】
商品の販売促進のために、景品等の応募券などになるキャンペーンラベルを容器に貼着したドリンク剤、缶ビールや缶コーヒーなどが販売されている。従来のキャンペーンラベルは、ラベル応募券や応募方法、キャンペーンの内容等の表示などが印刷されたラベル本体を備えている。
【０００３】
前記キャンペーンラベルが容器の表面に貼着された商品は、店頭に陳列され、かかる商品を購入した消費者は、前記キャンペーンラベルを容器から剥がし、そのキャンペーンラベルを例えば応募はがきに貼着して郵送することにより、種々の商品が当たるキャンペーンに参加できるようになっている。
【０００４】
具体的には、ラベル本体の裏面に「あたり」又は「はずれ」等の内面表示が印刷されているキャンペーンラベルの場合には、「あたり」が印刷されたラベル本体を応募はがきに貼着している。また、ポイント制のキャンペーンラベルの場合には、所定ポイントに達した複数枚のラベル本体を応募はがきに貼着している。
【０００５】
【発明が解決しようとする課題】
前記キャンペーンラベルは、消費者にとっては、キャンペーンラベルを容器から剥がし易くて好都合であるが、商品が店頭に陳列されている際には、キャンペーンラベルを剥がし易いと、不正に剥がして「あたり」又は「はずれ」を確認したり、ラベル本体を盗む等の悪戯が発生する欠点があった。
【０００６】
また、かかるキャンペーンラベルが剥がされた商品は、キャンペーン商品としての商品価値がなくなるため、メーカー等へ返品される原因となっていた。
【０００７】
本発明は、上記従来の問題点に鑑みてなされたもので、店頭等で陳列された商品に貼着されたキャンペーンラベルが不用意に剥がされて内面表示を不正に見る等の悪戯や、キャンペーンラベルの盗難を防止することを課題とする。
【０００８】
【課題を解決するための手段】
本発明が上記課題を解決するためにキャンペーンラベルとしてなされたものであり、その技術的手段は、被貼着体に貼着可能な下層ラベルと、前記下層ラベルに剥離可能に貼着され且つ、キャンペーンラベルであることを示す表示がおもて面から目視可能に設けられた上層ラベルと、前記下層ラベル又は上層ラベルに該上層ラベルのおもて面からは目視不能であって且つキャンペーンに応募又は参加する際に上層ラベルを下層ラベルから剥離することによりその内容が確認できる内面表示と、前記下層ラベル及び上層ラベルの全面を被覆すべく、下層ラベル及び上層ラベルよりも大きな形状を有し且つ被貼着体に貼着可能な透明の保護用シートとを備え、保護用シートと上層ラベルの剥離強度は、上層ラベルと下層ラベルの剥離強度及び下層ラベルと被貼着体の剥離強度よりも弱くなるように設定されていることにある。
【００１１】
そして、透明の保護用シートが上層ラベル及び下層ラベルを被覆していることから、透明の保護用シートを剥がしてからでないと、上層ラベルを剥離することができない。従って、下層ラベル（又は上層ラベル）に設けられた内面表示を目視するためには、保護用シートの剥離動作と、上層ラベルの剥離動作とが必要となり、内面表示を不正に目視する悪戯を防止できる。
【００１７】
【発明の実施の形態】
以下、本発明のキャンペーンラベルの実施の形態について図面を参照しながら説明する。図１〜図３は、本発明の第一実施の形態を示す。尚、キャンペーンラベルの断面は、構成が明瞭となるように便宜上ラベルの外形の大きさに比し、厚さを大きくしたものを図示している（以下、第二実施の形態乃至第四実施の形態も同様である。）。同図に示すキャンペーンラベル１は、例えば、ドリンク剤や医薬品、ビールなどのボトル（瓶）や、缶コーヒーなどの金属缶や、ポリエチレンテレフタレート等のプラスチック製のボトルからなる容器などの各種容器２５等に貼着されるものである。
【００１８】
前記キャンペーンラベル１は、上層ラベル３と下層ラベル５とからなるラベル本体４を備える複層ラベル構造のものである。前記下層ラベル５は、例えばポリプロピレンフィルムからなる透明又は不透明な下層ラベル基材６と、該下層ラベル基材６のおもて面（上面）側に積層された所定の表示（例えば、「あたり」又は「はずれ」の内面表示）７等が施された表示印刷層８と、該表示印刷層８に部分的に積層された透明のシリコーン等の剥離剤層１１と、下層ラベル基材６の裏面に積層された粘着層９とから構成されている。
【００１９】
前記粘着層９は下層ラベル５を容器２５や応募葉書等の応募シート１０の被貼着体に貼着するための層である。粘着層９を構成する接着剤として、ラベルなどの分野で慣用の接着剤を使用することができる。好ましい接着剤には、例えば、アクリル系粘着剤、ビニル系粘着剤、ゴム系粘着剤等の感圧接着剤などが含まれる。粘着層９には、通常、剥離性を有する離型紙が貼り合わされており、容器等に貼り付ける際には、この離型紙を剥がして使用に供される。ただし、粘着層９を感熱性接着剤により形成した場合は、離型紙は不要となる。
【００２０】
前記下層ラベル基材６は、上述したポリプロピレンフィルム以外に、ポリエステルフィルム等の種々の合成樹脂フィルムや合成紙、紙によって形成することができる。前記表示印刷層８は、凸版輪転印刷またはスクリーン印刷、オフセット印刷、グラビア印刷等によって形成することができる。
【００２１】
前記上層ラベル３は、例えばポリプロピレンフィルムからなる不透明な上層ラベル基材１２と、該上層ラベル基材１２の裏面に積層された粘着層１３と、該上層ラベル基材１２のおもて面に積層された剥離剤層１５とからなる。尚、上層ラベル基材１２のおもて面には、キャンペーン用の宣伝広告等の表示２が適宜印刷されている。
【００２２】
前記上層ラベル基材１２のおもて面側（剥離剤層１５の表面）には、透明の保護用シート１７が、剥離可能に積層されている。保護用シート１７は、前記ラベル本体４の形状よりも大きく設定された透明の合成樹脂フィルムからなる保護用基材１８と、該保護用基材１８の裏面に積層された透明の粘着層１９とからなる。ラベル本体４は、その全体が保護用シート１７により被覆され、保護用シート１７には、ラベル本体の全周にわたって貼着部２１が形成されている。
【００２３】
前記剥離剤層１５は、上層ラベル３と保護用シート１７との間の剥離強度を調整するためのものである。また、剥離剤層１１は、上層ラベル３と下層ラベル５との間の剥離強度を調整するためのものである。そして、保護用シート１７と上層ラベル３との間の剥離強度は、上層ラベル３と下層ラベル５の剥離強度や、下層ラベル５と容器２５との間の剥離強度よりも弱くなるように設定されている。尚、剥離剤層１１及び剥離剤層１５は、シリコーン層に替えて他の剥離剤（離型剤）の層を設けても良く、更に、上層ラベル３のおもて面、下層ラベル５のおもて面が上述の剥離強度（離型性）であれば、このような層は無くても良い。
【００２４】
次に、前記キャンペーンラベル１の一使用例について説明する。本実施の形態では、ポリエチレンテレフタレート製のボトルからなる容器２５の胴部に付された通常のラベル（商品名や注意書き等が記された熱収縮性ラベル等）２６のおもて面に、前記キャンペーンラベル１が貼着されている（図３（イ）参照）。
【００２５】
前記キャンペーンラベル１は、保護用シート１７がラベル本体４の全面を被覆し、且つ、貼着部２１がラベル２６の表面に貼着されている。尚、保護用シート１７は透明であるため、キャンペーン用の宣伝広告等の表示２が目視できると共に、保護用シート１７は目立ち難くなっている。
【００２６】
上層ラベル３を剥離するに際しては、先ず、前記保護用シート１７を剥離しなければならない（図３（ロ）参照）。このように保護用シート１７を剥離した後でないと、上層ラベル３を剥離することができないことから、下層ラベル５又は上層ラベル３に設けられた「あたり」又は「はずれ」等の内面表示７を目視するためには、保護用シート１７を剥離し更に上層ラベル３を剥離するという２回の剥離動作（２アクション）が必要となる。
【００２７】
この結果、店頭に陳列された商品に貼着されたキャンペーンラベル１を剥離して内面表示７のみを目視したり、ラベル本体４を盗むという悪戯を防止できる。尚、保護用シート１７と上層ラベル３の剥離強度は、上層ラベル３と下層ラベル５の剥離強度や、下層ラベル５と容器２５の剥離強度よりも弱くなっていることから、保護用シート１７を剥がした際に、ラベル本体４も一緒に剥がれてしまうことはない。また、上層ラベル３と下層ラベル５の剥離強度とは、剥離強度がない場合も含む概念である。
【００２８】
消費者がキャンペーンに参加する際には、図２（ロ）に示す如く、「あたり」が表示された下層ラベル５を剥離し、その下層ラベル５を、応募ハガキ１０等に貼着する。その際、下層ラベル５全体を覆うように、剥がした保護用シート１７を貼るようにしても良い。
【００２９】
尚、前記内面表示７（表示印刷層８）は、上層ラベル３又は下層ラベル５の任意の面側に設けることができ、下層ラベル基材６の裏面側に設けても良く、あるいは、前記内面表示７は、上層ラベル３の裏面側（上層ラベル基材１２の裏面側）又は上層ラベル３のおもて面側（上層ラベル基材１２のおもて面側）に設けることも可能である。上層ラベル基材１２のおもて面側に内面表示７を設ける場合には、表示印刷層８を隠蔽層で隠蔽することにより、内面表示７が上層ラベル３のおもて面からは目視することができないようにする。
【００３０】
図４（イ）〜（ハ）は本発明の第二実施の形態を示す。本実施の形態のキャンペーンラベル１のラベル本体４は、透明のラベル基材３０と、該ラベル基材３０の裏面に積層された粘着層３１と、ラベル基材３０のおもて面に積層された前記内面表示７を含む表示印刷層３２と、該印刷層３２を隠蔽する隠蔽層３３と、該隠蔽層３３の表面に積層された剥離剤層３５とからなる。更に、前記剥離剤層３５には、前記保護用シート１７が積層される。
【００３１】
前記保護用シート１７とラベル本体４の剥離強度は、ラベル本体４と容器２５の剥離強度よりも弱くなるように設定されている。
【００３２】
本実施の形態のキャンペーンラベル１は、前記第一実施の形態と同様に、容器２５等に貼着されて使用される。かかるキャンペーンラベル１においても、保護用シート１７がラベル本体４の全面を被覆していることから、保護用シート１７を剥がさなければ、ラベル本体４を露出させることができないのは、前記第一実施の形態と同様である。
【００３３】
消費者がキャンペーンに参加する際には、先ず、保護用シート１７を剥がした後に、ラベル本体４を剥離すると（図４（ロ）参照）、その裏面側の粘着層３１及び透明のラベル基材３０を透して「あたり」又は「はずれ」等の内面表示７を目視して確認することができる。そして、「あたり」表示が目視できるようにラベル本体４の表裏を反対にし（粘着層３１が上面となる。）、該ラベル本体４を、前記保護用シート１７を利用して、応募はがき１０等に貼着して応募する（同図（ハ）参照）。このように、保護用シート１７でラベル本体４を応募はがき１０に貼着できることから、別体のテープ等が不要となる。
【００３４】
キャンペーン主催者は、保護用シート１７、粘着層３１及び透明基材３０を透して「あたり」の表示を目視することができるため、応募されたラベル本体４を応募はがき１０等から剥離する手間が省ける利点がある。
【００３５】
尚、前記内面表示７（表示印刷層３２）は、不透明なラベル基材３０の裏面側に設けても良い。かかる場合には、隠蔽層３３は不要となる。
【００３６】
図５〜図７に本発明の第三実施の形態を示す。本実施の形態のキャンペーンラベル１は、被貼着体に貼着可能な下層ラベル５と、前記下層ラベル５に剥離可能に貼着された上層ラベル３と、前記下層ラベル５に設けられた内面表示７とを備え、前記上層ラベル３は、内側部４８と該内側部４８の全周を囲む外枠部４７とに分離可能になっている。
【００３７】
具体的には、キャンペーンラベル１は、下層基材４０と、該下層基材４０の裏面に積層された粘着層４１と、前記下層基材４０のおもて面に積層された前記内面表示７を含む表示印刷層４３と、該印刷層４３に積層された剥離剤層４４と、該剥離剤層４４に積層された粘着層４５と、該粘着層４５に積層された上層基材４６とからなる。上層基材４６のおもて面には、キャンペーン用の宣伝広告等の表示層４２が印刷されている。ここで、前記下層基材４０、粘着層４１と、印刷層４３により、下層ラベル５が構成されている。また、剥離剤層４４、上層基材４６及び粘着層４５及び表示層４２により、上層ラベル３が構成されている。
【００３８】
そして、カット刃をキャンペーンラベル１に上方から押圧して、上層ラベル３をカットすることにより、外枠部４７と該外枠部４７に囲繞された（周囲が囲まれた）内側部４８とが形成されている。かかるキャンペーンラベル１のカット線５０は、表示層４２、上層基材４６及び粘着層４５にわたって形成されることとなる。
【００３９】
前記剥離剤層４４は、外枠部４７及び内側部４８が、所定の剥離強度で下層基材４０に貼着するように、下層基材４０に部分的又は点状に設けられている。また、外枠部４７及び内側部４８と、下層基材４０の剥離強度は、下層ラベル５２と容器２５の剥離強度よりも小さく設定するのが好ましい。
【００４０】
次に、前記第三実施の形態のキャンペーンラベル１の一使用例を説明する。前記第一実施の形態と同様に、容器２５の胴部に付された通常のラベル２６の表面に、キャンペーンラベル１が貼着されている（図７（イ）参照）。
【００４１】
前記キャンペーンラベル１は、外枠部４７を剥がしてからでないと内側部４８を剥離するのが困難である。外枠部４７を剥がさずに、内側部４８のみを剥がそうとしても、キャンペーンラベル１に形成されるカット線５０は、細線であるため、外枠部４７と内側部４８が接近又は密着し、また、外枠部４７と内側部４８との表面が面一となっていることから、店頭のように商品が購入できる場所において内側部４８を瞬時に剥がし難くなっている。このため、例えば、店頭に陳列された商品のキャンペーンラベル１の悪戯を防止できる。
【００４２】
消費者がキャンペーンに参加する際には、外枠部４７を剥がした後に、内側部４８を剥がすことにより、下層基材４０のおもて面の印刷層４３を目視することができる（図６（イ）及び（ロ）参照）。そして、下層ラベル５を応募はがきに貼着して応募する。
【００４３】
尚、前記内面表示７（表示印刷層４３）は、上層ラベル３又は下層ラベル５の任意の面側に設けることができ、下層基材４０の裏面側に設けても良く、あるいは上層ラベル３の内側部４８の上層基材４６のおもて面側又は裏面側に設けることも可能である。内側部４８の上層基材４６のおもて面側に内面表示７を設ける場合には、表示印刷層４３を隠蔽層で隠蔽することにより、内面表示７が上層ラベル３のおもて面からは目視することができないようにする。
【００４４】
図８に本発明の第四実施の形態を示す。本実施の形態のキャンペーンラベル１は、前記第三実施の形態のキャンペーンラベル１が、上層ラベル３と下層ラベル５の複層ラベルであったのに対して、単層のラベルから構成したものである。具体的には、被貼着体に貼着可能なキャンペーンラベル１は、内側部４８と該内側部４８の全周を囲む外枠部４７とに分離可能なラベル本体４を備える。ラベル本体４の分離は、前記第三実施の形態と同様に、カット刃によりカット線５０を形成することにより可能である。
【００４５】
前記ラベル本体４は、ラベル基材５１と、内面表示７を含む表示印刷層４３と、粘着層４１とから構成されている。尚、粘着層４１の剥離強度は、内側部４８と外枠部４７のそれぞれの部分で同じであってもよいが、内側部４８を外枠部４７よりも強くしておくのが好ましい。
【００４６】
尚、前記内面表示７（表示印刷層４３）は、ラベル基材５１のおもて面側に設けても良い。かかる場合には、表示印刷層４３を隠蔽層で隠蔽することにより、内面表示７がラベル本体４のおもて面からは目視できないようにする。
【００４７】
本発明のキャンペーンラベルは、前記第一乃至第四実施の形態に限定されるものではなく、内面表示とは、「あたり」又は「はずれ」以外に、「１点」又は「２点」等のようなポイントの表示であっても良い。また、前記実施の形態のキャンペーンラベルは、内面表示を有するものを例示したが、特定の内面表示を有していないキャンペーンラベルであって、所定枚数を集めて応募するものであっても良く、ラベルの形態は任意のものが採用可能である。
【００４８】
また、本発明のキャンペーンラベルは、その他の容器、例えばドリンク剤や医薬品、ビールなどのボトル（瓶）、缶コーヒーなどの金属缶などの各種容器等に適用できる。また、キャンペーンラベルの形状及び大きさは、貼着すべき容器等の種類に応じて適宜選択される。
【００４９】
【発明の効果】
本発明のキャンペーンラベルにあっては、キャンペーンに応募あるいは参加する際に内面表示を目視確認するためには、先ず、保護用シートを剥離して上層ラベルを剥離しなければならず、複数回のアクションが必要となり、店頭等で内面表示を不正に目視する悪戯を防止することができる。
【図面の簡単な説明】
【図１】本発明の第一実施の形態を示し、（イ）は平面図、（ロ）は（イ）のＡ−Ａ線矢視断面図である。
【図２】（イ）は保護用シート及びラベル本体をそれぞれ剥がした状態を示す断面図、（ロ）は下層ラベルの平面図である。
【図３】本発明のキャンペーンラベルを容器に貼着した状態を示し、（イ）はラベル部の剥離前の斜視図、（ロ）は保護用シートを剥がす状態の斜視図である。
【図４】本発明の第二実施の形態を示し、（イ）はラベル本体と保護用シートが一体になった断面図、（ロ）はラベル本体から保護用シートを剥離した断面図、（ハ）はラベル本体を保護用シートで貼着した断面図である。
【図５】本発明の第三実施の形態を示し、（イ）は平面図、（ロ）は（イ）のＢ−Ｂ線矢視断面図である。
【図６】（イ）は外枠部を剥離した断面図、（ロ）は内側部を剥離した断面図である。
【図７】本発明のキャンペーンラベルを容器に貼着した状態を示し、（イ）はラベル部の剥離前の斜視図、（ロ）は外枠部を剥がす状態の斜視図である。
【図８】本発明の第四実施の形態を示す断面図である。
【符号の説明】
１…キャンペーンラベル、３…上層ラベル、４…ラベル本体、５…下層ラベル、７…内面表示、１７…保護用シート、２５…容器（被貼着体）、４７…外枠部、４８…内枠部
【図１】
0004053316.tif 000002
【図２】
0004053316.tif 000003
【図３】
0004053316.tif 000004
【図４】
0004053316.tif 000005
【図５】
0004053316.tif 000006
【図６】
0004053316.tif 000007
【図７】
0004053316.tif 000008
【図８】
0004053316.tif 000009